(57)【要約】      （修正有）【課題】義歯の破損を防止しつつ当該義歯を固定することのできる固定具、および、この固定具を有し、正確かつ効率的さらには客観的に噛み合せの調節を行うことのできる咬合器を提供する。【解決手段】固定具（第１の固定具）は、咬合器に有床義歯を固定するための固定具であって、下顎側有床義歯１００の床部１１０を配置する凹部を有する本体２１と、凹部に配置された下顎側有床義歯１００を本体２１に固定する固定手段２２とを有する。固定手段２２は、本体２１に設けられた本体側固定部２２１と、本体側固定部２２１と下顎側有床義歯１００とを連結するバンド２２３とを有する。【選択図】図６
2013150682.tif 000002
【特許請求の範囲】
【請求項１】
咬合器に有床義歯を固定するための固定具であって、
前記有床義歯の床部を配置する凹部を有する本体と、
前記凹部に配置された前記有床義歯を前記本体に固定する固定手段と、を有し、
前記固定手段は、
前記本体に設けられた本体側固定部と、
前記本体側固定部と前記有床義歯とを連結する連結部材と、を有することを特徴とする固定具。
【請求項２】
前記連結部材は、弾性を有し、伸長した状態にて前記本体側固定部と前記有床義歯とを連結する請求項１に記載の固定具。
【請求項３】
前記固定手段は、さらに、前記有床義歯に取り付ける義歯側固定部を有し、前記有床義歯に取り付けられた前記義歯側固定部と前記本体側固定部とを前記連結部材によって連結することにより、前記有床義歯を前記本体に固定する請求項１または２に記載の固定具。
【請求項４】
前記固定手段は、さらに、前記有床義歯の床と一体的に形成された義歯側固定部を有し、前記義歯側固定部と前記本体側固定部とを前記連結部材によって連結することにより、前記有床義歯を前記本体に固定する請求項１または２に記載の固定具。
【請求項５】
請求項１ないし４のいずれかに記載の固定具を備えることを特徴とする咬合器。
【請求項６】
前記固定具を着脱することができる請求項５に記載の咬合器。
【発明の詳細な説明】
【技術分野】
【０００１】
本発明は、固定具および咬合器に関する。
【背景技術】
【０００２】
歯科治療において、損失した天然歯を補うための義歯治療がある。義歯治療とは、例えば、局部床義歯（部分入れ歯）や全部床義歯（総入れ歯）等の有床義歯（入れ歯）を作成し、作成した有床義歯を歯肉に被せることにより、前記損失した天然歯を補う治療を言う。なお、有床義歯は、歯肉に被せる床と、この床に固定された人工歯とを有し、局部床義歯においては、さらにクラスプ等を有している。
【０００３】
このような義歯治療においては、（１）頬の内側や歯肉等の口腔粘膜に対する有床義歯の適合性（密着性やフィット感）と、（２）有床義歯の噛み合わせとが非常に重要となる。
【０００４】
前記（１）の調整については、まず、例えばシリコンなどの軟質材料が床内面に塗布された有床義歯を患者に装着し、有床義歯を歯肉に軽く押し付ける。これにより、軟質材料が床と歯肉に挟まれ、その表面が歯肉の形状に応じて変形する。次に、有床義歯を取り外し、変形した軟質材量の厚み等から強く歯肉を圧迫している部分を探す。床が歯肉を強く圧迫している部分を発見した場合には、この部分の内面を削って調整する。このような作業を必要に応じて複数回繰り返すことにより、口腔粘膜（歯肉）との適合性が高い有床義歯を作成する。
【０００５】
一方、前記（２）の調整については、まず、有床義歯を装着した患者に、上歯と下歯との間にカーボン紙等を挟んだ状態にて噛み合わせてもらったり、噛み合せた状態で下顎を上顎に対して左右に動かしてもらったりする。次に、有床義歯の人工歯に付着したカーボン紙のインクの様子を見て噛み合せのバランス、具体的には、均一な力で噛み合っているか、下顎を左右・前後に動かす際に有床義歯が安定しているか等を観察する。不具合を発見した場合には、人工歯を削って調整する。このような作業を必要に応じて複数回繰り返すことにより、適した噛み合せの有床義歯を作成する。
【０００６】
ここで、患者は、例えば、初めて装着した有床義歯であることや緊張によって、歯科医師の指示に従って通常の噛み合せを再現することができない場合があり、このような場合、有床義歯の調整が困難となる。これに加えて、顎の変形、噛み合せ異常、認知症等の疾患を抱えた患者に対する有床義歯の調整は、特に困難となる。
【０００７】
そこで、例えば、上歯と下歯の噛み合せを再現することのできる咬合器に有床義歯を固定した状態で噛み合せの調整を行うことが考えられる。これによれば、歯科医師の意思で噛み合せ状態を再現できるため、正確かつ効率的、さらには客観的に、噛み合せの調節を行うことができる。
【０００８】
咬合器は、従来からよく知られており、例えば、一対の支持板（上側支持板および下側支持板）と、これらを連結するとともに途中で屈曲変形可能な連結部とを有している（例えば、特許文献１参照）。
【０００９】
このような咬合器では、例えば、下顎側の有床義歯の噛み合せを調節する場合、患者の上側の歯型を有する上顎模型を上側支持板の下面に石膏（接着剤）を介して固定するとともに、有床義歯を下側支持板の上面に石膏（接着剤）を介して固定する。そして、連結部を所望の形状に屈曲変形させることにより、様々な状態での噛み合せを再現することができる。
【００１０】
しかしながら、このような咬合器では、有床義歯を石膏により固定するため、石膏が固まるまでに時間がかかり治療の長時間化を招いてしまうという問題と、石膏で有床義歯を破損するおそれがあるという問題とを少なくとも有している。
【先行技術文献】
【特許文献】
【００１１】
【特許文献１】特開２００６−２３０７２６号公報
【発明の概要】
【発明が解決しようとする課題】
【００１２】
本発明の目的は、義歯の破損を防止しつつ当該義歯を固定することのできる固定具、および、この固定具を有し、正確かつ効率的さらには客観的に噛み合せの調節を行うことのできる咬合器を提供することにある。
【課題を解決するための手段】
【００１３】
このような目的は、下記（１）〜（６）の本発明により達成される。
（１）  咬合器に有床義歯を固定するための固定具であって、
前記有床義歯の床部を配置する凹部を有する本体と、
前記凹部に配置された前記有床義歯を前記本体に固定する固定手段と、を有し、
前記固定手段は、
前記本体に設けられた本体側固定部と、
前記本体側固定部と前記有床義歯とを連結する連結部材と、を有することを特徴とする固定具。
【００１４】
（２）  前記連結部材は、弾性を有し、伸長した状態にて前記本体側固定部と前記有床義歯とを連結する上記（１）に記載の固定具。
【００１５】
（３）  前記固定手段は、さらに、前記有床義歯に取り付ける義歯側固定部を有し、前記有床義歯に取り付けられた前記義歯側固定部と前記本体側固定部とを前記連結部材によって連結することにより、前記有床義歯を前記本体に固定する上記（１）または（２）に記載の固定具。
【００１６】
（４）  前記固定手段は、さらに、前記有床義歯の床と一体的に形成された義歯側固定部を有し、前記義歯側固定部と前記本体側固定部とを前記連結部材によって連結することにより、前記有床義歯を前記本体に固定する上記（１）または（２）に記載の固定具。
【００１７】
（５）  上記（１）ないし（４）のいずれかに記載の固定具を備えることを特徴とする咬合器。
（６）  前記固定具を着脱することができる上記（５）に記載の咬合器。
【発明の効果】
【００１８】
本発明によれば、弾性を有するバンドによって義歯を本体側に付勢することにより、義歯を本体に固定するため、義歯の破損（傷つき、破壊等）を効果的に防止または抑制することができる。また、従来のように、石膏等の接着剤を用いずに義歯を固定することができるため、義歯を固定具に固定する行為や、固定具から取り外した義歯を患者に装着する行為を迅速に行うことができる。そのため、義歯の噛み合せの調整をより短時間にかつ効率的に行うことができる。
【図面の簡単な説明】
【００１９】
【図１】本発明の咬合器の第１実施形態を示す斜視図である。
【図２】図１に示す咬合器が有する第１の固定具の平面図（上面図）である。
【図３】第１の固定具が有する固定手段が備える義歯側固定部を示す平面図である。
【図４】図３に示す義歯側固定部の拡大斜視図である。
【図５】第１の固定具が有する固定手段が備えるバンドを示す平面図である。
【図６】第１の固定具へ下顎側有床義歯を固定した状態を示す断面図である。
【図７】本発明の第２実施形態に係る咬合器の第１の固定部が有する義歯側固定部を示す断面図である。
【図８】本発明の第３実施形態に係る咬合器の第１の固定部が有する固定手段を示す断面図である。
【図９】本発明の第４実施形態に係る咬合器を示す斜視図である。
【発明を実施するための形態】
【００２０】
以下、本発明の固定具を適用した咬合器（本発明の咬合器）の好適な実施形態について、添付図面を参照しつつ説明する。
【００２１】
＜第１実施形態＞
まず、本発明の咬合器の第１実施形態について説明する。
【００２２】
図１は、本発明の咬合器の第１実施形態を示す斜視図、図２は、図１に示す咬合器が有する第１の固定具の平面図（上面図）、図３は、第１の固定具が有する固定手段が備える義歯側固定部を示す平面図、図４は、図３に示す義歯側固定部の拡大斜視図、図５は、第１の固定具が有する固定手段が備えるバンドを示す平面図、図６は、第１の固定具へ下顎側有床義歯を固定した状態を示す断面図である。
【００２３】
なお、以下では、説明の便宜上、図１〜図６中の上側を「上」と言い、下側を「下」とも言う。
【００２４】
図１に示す咬合器１は、下顎側有床義歯１００を固定する第１の固定具（本発明の固定具）２と、上顎側有床義歯２００を固定する第２の固定具（本発明の固定具）３と、第１の固定具２および第２の固定具３を、顎運動に近似して相対運動可能なように連結する連結部４とを有している。
【００２５】
このような咬合器１は、第１の固定具２に固定された下顎側有床義歯１００と、第２の固定具３に固定された上顎側有床義歯２００とを噛み合わせることによって、患者に装着したときと同様の噛み合せを再現することができる歯科治療用機器である。このような咬合器１を用いることにより、下顎側有床義歯１００および上顎側有床義歯２００の噛み合せを簡単かつ効率的に調整することができる。
【００２６】
なお、本願明細書中の「有床義歯」には、少なくとも、局部床義歯（部分入れ歯）および全部床義歯（総入れ歯）が含まれる。一般的に、全部床義歯は、歯肉に被せる床（床部）と、この床に固定された人工歯とを有しており、局部床義歯は、さらに、クラスプ等を有している。なお、以下では、説明の便宜上、有床義歯として、全部床義歯を例に挙げて説明する。
【００２７】
以下、本実施形態の咬合器１について詳細に説明する。
まず、第１の固定具２および第２の固定具３について説明するが、これらは、互いに同様の構成であるため、以下では、第１の固定具２について代表して説明し、第２の固定具３については、その説明を省略する。
【００２８】
［第１の固定具］
図２ないし図５に示すように、第１の固定具２は、下顎側有床義歯１００の床部（下顎側有床義歯床部）１１０を配置（収納）する凹部２１１を有する本体２１と、凹部２１１に配置された下顎側有床義歯１００を本体２１に固定する固定手段２２と、を有している。
【００２９】
本体２１は、下顎側有床義歯１００を支持・固定するための部材である。また、本体２１は、硬質であり、例えば、金属製またはプラスチック製とすることができる。このような本体２１には、その上面に開口する凹部２１１が形成されている。
【００３０】
凹部２１１は、下顎側有床義歯１００の床部１１０を配置（収容）するための凹部である。したがって、凹部２１１の形状（開口形状および深さ）は、下顎側有床義歯１００の床部１１０を配置することができれば、特に限定されず、本実施形態では、床部１１０の形状に類似した略「Ｕ」字状をなしている。なお、下顎側有床義歯１００の床部１１０の形状は、患者によって異なる。そのため、第１の固定具２に汎用性を持たせるために、凹部２１１の形状は、「Ｕ」字状に限定されず、統計や経験によって、大半の下顎側有床義歯１００の床部１１０を配置できるような形状とするのがよい。
【００３１】
固定手段２２は、本体２１に設けられた複数の本体側固定部２２１と、下顎側有床義歯１００に設けられた複数の義歯側固定部２２２と、本体側固定部２２１と義歯側固定部２２２とを連結するバンド（連結部材）２２３とを有している。
【００３２】
図２に示すように、複数の本体側固定部２２１は、本体２１の側面に沿って、言い換えれば下顎側有床義歯１００の歯列方向に沿って互いにほぼ等間隔に離間して設けられている。このような本体側固定部２２１は、例えば、金属製またはプラスチック製とすることができる。
【００３３】
本体側固定部２２１は、本体２１から突出する突起状をなしている。本体側固定部２２１は、バンド２２３を引っ掛けて固定するためのものである。なお、本体側固定部２２１に引っ掛けたバンド２２３の脱落を効果的に防止するために、本体側固定部２２１の外周に例えばネジ溝のような凹凸を形成したり、本体側固定部２２１の先端部を基端側よりも大径化したりするのが好ましい。
【００３４】
複数の義歯側固定部（ボタン）２２２は、下顎側有床義歯１００の床部１１０または人工歯１２０に接着により固定される。なお、本実施形態では、全ての義歯側固定部２２２が人工歯１２０に固定されている。また、複数の義歯側固定部（ボタン）２２２は、下顎側有床義歯１００の歯列方向に沿って互いに離間して設ける。複数の義歯側固定部２２２の配置は、特に限定されないが、１つの義歯側固定部２２２と１つの本体側固定部２２１とが対をなすように、複数の本体側固定部２２１に対応して設けるのが好ましい。これにより、より効果的に、かつバランスよく下顎側有床義歯１００を本体２１に固定することができる。
【００３５】
このような義歯側固定部２２２は、例えば、金属製またはプラスチック製とすることができる。
【００３６】
図４に示すように、このような義歯側固定部２２２は、床部１１０に固定される基部２２２ａと、基部２２２ａから突出する突起部２２２ｂとを有している。突起部２２２ｂの先端部は、基端側よりも大径化されている。このような突起部２２２ｂは、バンド２２３を引っ掛けて固定する部位であるため、突起部２２２ｂの先端部を大径化することにより、引っ掛けたバンド２２３の離脱を効果的に防止することができる。
【００３７】
各義歯側固定部２２２は、例えば、接着剤を介して着脱可能に床部１１０に固定するのが好ましい。これにより、噛み合せの調整後、簡単に、下顎側有床義歯１００から各義歯側固定部２２２を取り除くことができ、作業の効率化を図ることができる。また、接着剤としては、生体親和性を有するものが好適に用いられる。
【００３８】
バンド２２３は、本体側固定部２２１と義歯側固定部２２２とに固定される。これにより、下顎側有床義歯１００が本体２１に固定される。このようなバンド２２３は、弾性を有しており、伸縮自在である。バンド２２３は、例えば、天然ゴム、ブチルゴム、イソプレンゴム、ブタジエンゴム、スチレン−ブタジエンゴム、シリコーンゴムのような各種ゴム材料で構成することができる。
【００３９】
また、図５に示すように、バンド２２３は、その長手方向に沿って、複数（３つ以上）の孔２２３ａが互いに離間して形成されている。これら孔２２３ａは、バンド２２３を本体側固定部２２１または義歯側固定部２２２に引っ掛けるための孔である。
【００４０】
以上、第１の固定具２について説明した。このような第１の固定具２には、例えば、次のようにして下顎側有床義歯１００が着脱される。
【００４１】
図６に示すように、まず、本体２１の凹部２１１内に下顎側有床義歯１００の床部１１０を配置する。次に、バンド２２３のいずれか１つの孔２２３ａに本体側固定部２２１を挿入し、バンド２２３を本体側固定部２２１に固定するとともに、バンド２２３の他のいずれか１つの孔２２３ａに対をなす義歯側固定部２２２を挿入し、バンド２２３を義歯側固定部２２２に固定する。この際、バンド２２３を伸長させた状態にて、本体側固定部２２１および義歯側固定部２２２に固定する。他のバンド２２３についても、これと同様に他の対をなす本体側固定部２２１および義歯側固定部２２２に固定する。これにより、複数のバンド２２３によって下顎側有床義歯１００が本体２１に付勢され、下顎側有床義歯１００が本体２１に確実に固定される。
【００４２】
反対に、第１の固定具２に下顎側有床義歯１００が固定されている状態にて、バンド２２３を本体側固定部２２１および義歯側固定部２２２から外すことにより、第１の固定具２から下顎側有床義歯１００を簡単に取り外すことができる。
【００４３】
このような第１の固定具２によれば、バンド２２３によって、下顎側有床義歯１００を固定するため、下顎側有床義歯１００の破損（傷つき、破壊等）を効果的に防止または抑制することができる。また、バンド２２３によって下顎側有床義歯１００が本体２１側に付勢されるため、下顎側有床義歯１００をより安定した状態で本体２１に固定することができる。
【００４４】
また、例えば、義歯側固定部２２２を挿通する孔２２３ａを選択することにより、下顎側有床義歯１００を本体２１側に付勢する付勢力を選択することができる。そのため、下顎側有床義歯１００を適した付勢力に付勢し、本体２１に固定することができる。その結果、下顎側有床義歯１００の破損等を効果的に防止することができる。例えば、義歯側固定部２２２を挿通する孔２２３ａとして、本体側固定部２２１が挿通された孔２２３ａから近いものを選択するほど強い付勢力が得られ、反対に、本体側固定部２２１が挿通された孔２２３ａから遠いものを選択するほど弱い付勢力が得られる。
【００４５】
また、上述したように、バンド２２３の着脱によって、第１の固定具２への下顎側有床義歯１００の着脱を簡単に行うことができるため、操作性に優れた咬合器１となる。特に、第１の固定具２によれば、従来のように、石膏等の接着剤を用いずに下顎側有床義歯１００を固定することができるため、患者から取り外した下顎側有床義歯１００を第１の固定具２に固定する行為や、第１の固定具２から取り外した下顎側有床義歯１００を患者に装着する行為を迅速に行うことができる。そのため、下顎側有床義歯１００および上顎側有床義歯２００の噛み合せの調整をより短時間にかつ効率的に行うことができる。また、石膏等の接着剤を取り除く必要がないため、その際に、下顎側有床義歯１００が破損する危険性を回避することができる。
以上、第１の固定具２の構成について詳細に説明した。
【００４６】
咬合器１は、前述したように、第１の固定具２と第２の固定具３とを連結する連結部４を有している。連結部４は、第１の固定具２および第２の固定具３を、顎運動に近似して相対運動可能なように連結しており、これにより、下顎側有床義歯１００と上顎側有床義歯２００との口腔内での噛み合せを咬合器１にて再現することができる。
【００４７】
図１に示すように、連結部４は、第１の固定具２が固定された第１のアーム４１と、第２の固定具３が固定された第２のアーム４２とを有しており、これらは、軸４３によって、回動自在に連結されている。なお、第１のアーム４１に対する第２のアーム４２の姿勢は、図示しない固定手段によって固定することができる。
【００４８】
また、第２のアーム４２は、先端側アーム４２１と、基端側アーム４２２と、先端側アーム４２１と基端側アーム４２２とを連結する関節４４とを有している。関節４４は、２つのボール４４１、４４２と、これらボール４４１、４４２を挟持するボールホルダー４４３とを有している。また、ボール４４１は、先端側アーム４２１と接続されており、ボール４４２は、基端側アーム４２２と接続されている。
【００４９】
ボールホルダー４４３は、図示しないボルト等を操作することによって、各ボール４４１、４４２を挟持する圧力を独立して変化させることができる。すなわち、ボールホルダー４４３は、圧力が弱く、術者によってボール４４１をボールホルダー４４３に対して摺動回転させることのできる状態と、圧力が強く術者によってボール４４１をボールホルダー４４３に対して摺動回転させることのできない状態とを取ることができる。このことは、ボール４４２についても同様である。
【００５０】
このような関節４４によれば、先端側アーム４２１の姿勢を基端側アーム４２２に対して自在に変化させることができる。すなわち、関節４４を有することにより、第２の固定具３に固定された上顎側有床義歯２００の姿勢を、第１の固定具２に固定された下顎側有床義歯１００に対して自在に変化させることができる。
【００５１】
以上のような連結部４によれば、上下顎の開閉を再現することができ、下顎側有床義歯１００と上顎側有床義歯２００の噛み合せを確認することができる。
【００５２】
なお、本実施形態の咬合器１は、いわゆる「平均値咬合器」と呼ばれるタイプの咬合器であるが、咬合器１としては、このタイプに限定されず、例えば、「平線咬合器（蝶番咬合器）」、「全調節性咬合器」、「半調節性咬合器」等のいかなるタイプの咬合器であってもよい。
【００５３】
＜第２実施形態＞
次に、本発明の咬合器の第２実施形態について説明する。
【００５４】
図７は、本発明の第２実施形態に係る咬合器の第１の固定部が有する義歯側固定部を示す断面図である。
【００５５】
以下、第２実施形態の咬合器について、前述した第１実施形態との相違点を中心に説明し、同様の事項については、その説明を省略する。
【００５６】
第２実施形態の咬合器は、第１、第２の固定具の構成が異なる以外は、第１実施形態とほぼ同様である。なお、第１、第２の固定具の構成は、互いに同様であるため、以下では、第１の固定具２について代表して説明し、第２の固定具３については、その説明を省略する。
【００５７】
図７に示すように、本実施形態の第１の固定具２が有する固定手段２２では、義歯側固定部２２２Ａは、下顎側有床義歯１００の床部１１０と一体的に形成されている。義歯側固定部２２２Ａは、床部１１０と同じ材料で構成されている。他の義歯側固定部２２２Ａについても同様である。
【００５８】
このような義歯側固定部２２２Ａによれば、例えば、第１実施形態のように義歯側固定部２２２Ａを下顎側有床義歯１００に接着して固定する必要がないため、本体２１への下顎側有床義歯１００の固定をより簡単に行うことができる。
【００５９】
なお、義歯側固定部２２２Ａは、下顎側有床義歯１００および上顎側有床義歯２００の噛み合せの調整が完了した後、下顎側有床義歯１００から削除すればよい。
【００６０】
以上のような第２実施形態によっても、前述した第１実施形態と同様の効果を発揮することができる。
【００６１】
＜第３実施形態＞
次に、本発明の咬合器の第３実施形態について説明する。
【００６２】
図８は、本発明の第３実施形態に係る咬合器の第１の固定部が有する固定手段を示す断面図である。
【００６３】
以下、第３実施形態の咬合器について、前述した第１実施形態との相違点を中心に説明し、同様の事項については、その説明を省略する。
【００６４】
第３実施形態の咬合器は、第１、第２の固定具の構成が異なる以外は、第１実施形態とほぼ同様である。なお、第１、第２の固定具の構成は、互いに同様であるため、以下では、第１の固定具について代表して説明し、第２の固定具については、その説明を省略する。
【００６５】
図８に示すように、本実施形態の第１の固定具２Ｂが有する固定手段２２Ｂでは、前述した第１実施形態の固定手段２２と比較して、義歯側固定部２２２が省略されている。そして、固定手段２２Ｂでは、バンド２２３が下顎側有床義歯１００の人工歯１２０に直接引っ掛けられており、これにより、下顎側有床義歯１００が本体２１に固定される。このように、バンド２２３を直接人工歯１２０に引っ掛けることにより、前述した第１、第２実施形態のような義歯側固定部が不要となるため、更なる作業の効率化を図ることができる。
【００６６】
以上のような第３実施形態によっても、前述した第１実施形態と同様の効果を発揮することができる。
【００６７】
＜第４実施形態＞
次に、本発明の咬合器の第４実施形態について説明する。
図９は、本発明の第４実施形態に係る咬合器を示す斜視図である。
【００６８】
以下、第４実施形態の咬合器について、前述した第１実施形態との相違点を中心に説明し、同様の事項については、その説明を省略する。
【００６９】
第４実施形態の咬合器は、第１、第２の固定具が着脱自在に設けられている以外は、第１実施形態とほぼ同様である。
【００７０】
図９に示す咬合器１は、第１の固定具２と、第２の固定具３と、第１の固定具２および第２の固定具３を連結する連結部４とを有している。本実施形態では、連結部４に対して、第１の固定具２および第２の固定具３が着脱自在となっている。第１の固定具２および第２の固定具３を着脱することができることにより、例えば、複数の第１の固定具２の各々に下顎側有床義歯１００を装着しておき、これら複数の第１の固定具２の連結部４への装着、離脱を順に繰り返すことにより、複数の下顎側有床義歯１００の噛み合せの調整を連続的に行うことができ、義歯の調整の効率が高まる。
【００７１】
本実施形態の連結部４は、第１のアーム４１に固定された第１の固定台４５と、第２のアームに固定された第２の固定台４６とを有している。すなわち、前述した第１実施形態に対して、第１の固定具２に換えて第１の固定台４５を設け、第２の固定具３に換えて第２の固定台４６が設けられている。
【００７２】
第１の固定台４５は、第１の固定具２を着脱自在に固定するためのものであり、第２の固定台４６は、第２の固定具３を着脱自在に固定するためのものである。以下、第１の固定台４５および第２の固定台４６について説明するが、これらは互いに同様の構成であるため、以下では、第１の固定台４５について説明し、第２の固定台４６については、その説明を省略する。
【００７３】
図９に示すように、第１の固定台４５は、板状の基部４５１と、第１の固定具２を基部４５１に固定するための固定手段４５２とを有している。固定手段４５２は、基部４５１から突出する板状のストッパー４５３と、基部４５１に設けられた爪４５４とを有している。爪４５４は、ストッパー４５３に接近または離間するように移動可能に設けられている。爪４５４の移動は、例えば、図示しないネジ（ボルト）を回すことにより行うことができる。すなわち、ネジを一方に回せば、爪４５４がストッパー４５３側に移動し、他方に回せば爪４５４がストッパーから離間する側に移動し、ネジの回転を停止すれば、その位置が維持される。
【００７４】
このような第１の固定台４５では、基部４５１に第１の固定具２を載置し、載置した第１の固定具２をストッパー４５３と爪４５４で挟み込み、挟持することにより、第１の固定具２を固定できるようになっている。具体的には、爪４５４とストッパー４５３との間に第１の固定具２を載置できるスペースを確保し、当該スペースに第１の固定具２を載置し、ネジを回して爪４５４をストッパー４５３に接近させて、爪４５４とストッパー４５３とで第１の固定具２を挟持することにより、第１の固定具２を固定できるようになっている。反対に、ネジを回して爪４５４をストッパー４５３から離間させれば、第１の固定具２を簡単に取り外すことができる。
【００７５】
なお、固定手段４５２の構成としては、基部４５１に第１の固定具２を固定することができれば、特に限定されない。例えば、爪４５４は、ネジの操作によって移動するものではなく、図示しないバネ等の付勢手段によってストッパー４５３側に向けて付勢されていてもよい。また、固定手段４５２は、第２の固定具３を基部４５１に磁気的に吸着させることにより固定してもよい。また、第２の固定具３を基部４５１にジョイントやボタンを用いて固定してもよい。また、複数の爪を有し、これら複数の爪で第１の固定具２を挟持して固定してもよい。
【００７６】
以上のような第４実施形態によっても、前述した第１実施形態と同様の効果を発揮することができる。
【００７７】
以上、図示の実施形態に基づいて本発明の固定具および咬合器を説明したが、本発明は、これらに限定されるものでない。例えば、本発明の固定具および咬合器では、各部の構成は、同様の機能を発揮する任意の構成のものに置換することができ、また、任意の構成を付加することもできる。
【００７８】
また、前述した実施形態では、咬合器が２つの固定具（本発明の固定具）を有する構成について説明したが、これに限定されず、少なくとも１つの固定具（本発明の固定具）を有していればよい。すなわち、第１の固定具および第２の固定具のうちのいずれか一方に本発明の固定具が用いられていればよい。
【００７９】
例えば、下顎側有床義歯と、上顎側の天然歯との噛み合せを調節する場合には、本発明の固定具を下顎側有床義歯を固定するために用い、上顎側の模型は、従来のような固定具（固定方法）を用いればよい。また、上顎側有床義歯と、下顎側の天然歯との噛み合せを調節する場合には、本発明の固定具を上顎側有床義歯を固定するために用い、下顎側の模型は、従来のような固定具（固定方法）を用いればよい。
【符号の説明】
【００８０】
１          咬合器
２、２Ｂ          第１の固定具
２１        本体
２１１      凹部
２２、２２Ｂ        固定手段
２２１      本体側固定部
２２２、２２２Ａ      義歯側固定部
２２２ａ    基部
２２２ｂ    突出部
２２３      バンド
２２３ａ    孔
３          第２の固定具
４          連結部
４１        第１のアーム
４２        第２のアーム
４２１      先端側アーム
４２２      基端側アーム
４３        軸
４４        関節
４４１      ボール
４４２      ボール
４４３      ボールホルダー
４５        第１の固定台
４６        第２の固定台
４５１      基部
４５２      固定手段
４５３      ストッパー
４５４      爪
１００      下顎側有床義歯
１１０      床部
１２０      人工歯
２００      上顎側有床義歯
【図１】
2013150682.tif 000003
【図２】
2013150682.tif 000004
【図３】
2013150682.tif 000005
【図４】
2013150682.tif 000006
【図５】
2013150682.tif 000007
【図６】
2013150682.tif 000008
【図７】
2013150682.tif 000009
【図８】
2013150682.tif 000010
【図９】
2013150682.tif 000011